(57)【要約】【課題】開封したときに、開封予定線から外れてしまったりする恐れがない包装袋を提供する。【解決手段】表フィルム１と裏フィルム２を重ね合わせ、周縁部をシールした包装袋であって、表フィルムと裏フィルムのそれぞれに、開封するための切断を誘導する表側易切断部７と裏側易切断部８を設け、表側易切断部と裏側易切断部の少なくとも一方は、易切断部を帯状に設け易切断帯とした。また、易切断帯はレーザー加工で設け、表側易切断部と裏側易切断部が互いに異なる形で設けられている。さらに、左右のシール部３、４には、引き裂き開始部９、１０が設けられている。【選択図】図１
2017007684.tif 000002
【特許請求の範囲】
【請求項１】
表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する表側易切断部と裏側易切断部を設け、前記表側易切断部と前記裏側易切断部の少なくとも一方は、易切断部を帯状に設け易切断帯としたことを特徴とする包装袋。
【請求項２】
前記易切断帯をレーザー加工で設けたことを特徴とする請求項１に記載の包装袋。
【請求項３】
前記表側易切断部と前記裏側易切断部が互いに異なる形で設けられていることを特徴とする包装袋。
【請求項４】
前記表側易切断部と前記裏側易切断部の左右に位置するシール部の一方あるいは両方に、引き裂き開始部が設けられていることを特徴とする請求項１から３のいずれか１項に記載の包装袋。
【発明の詳細な説明】
【技術分野】
【０００１】
本発明は、包装袋に関するものである。
【背景技術】
【０００２】
従来から、内容物を収容した包装袋を開封しやすくするために、包装袋の開封予定線の左右両端部、または、いずれかの端部に引き裂き開始部のノッチを設け、開封予定線に直線状のハーフカットなどからなる易開封線を包装袋の表裏２枚のフィルムそれぞれに設けた包装袋があった。これらの包装袋は、ノッチの上下それぞれを指で摘んで、直線状の易開封線に沿って引っ張ると容易に引き裂かれて開封することができる。
【０００３】
しかし、このような包装袋は容易に開封できるが、包装袋に用いるフィルムの物性によっては、必ずしも開封予定線に沿って引き裂くことができずに、外れて引き裂かれてしまうことがあった。
【０００４】
また、内容物を取り出したりするために口を開こうとすると、包装袋の引き裂かれた開封線が、表裏のフィルムで同一位置にあるために、口を開くために指で表裏のフィルムをそれぞれ摘もうとしても、重なり合った表裏フィルムの間に指を入れることが難しく、容易に口を開くことができなかった。
【０００５】
これを回避するために、表フィルムと裏フィルムに、異なる開封予定線を設けて、開封後の開封線が表裏のフィルムで同一位置にならないようにして、指で摘みやすく、口開きを容易にした包装袋があった。
【０００６】
例えば、開封予定線に沿って、略ハの字型をなすように傾斜した２つの対をなす切れ目を所定間隔の断続状に形成した切れ目線をハーフカットにより、包装袋の表フィルムと裏フィルムに波形に形成して、表フィルムと裏フィルムの波のピッチを相互に交差するようにするか、あるいは、片側のフィルムのみ波形の変形ミシン目状の切目線を設けて、他方のフィルムには、概略直線状の変形ミシン目状の切目線を形成し、開封後の表フィルムと裏フィルムの開封線が完全には重ならず、開口部の口開きを容易した包装袋があった（特許文献１）。
【０００７】
また、包装袋の表フィルムと裏フィルムのそれぞれ、表側開封予定線と裏側開封予定線をハーフカット線で、包装袋の左右両端より内方に向かって直線状に設け、表側開封予定線は直線の両端を結ぶ、上に凸の曲線を設け、裏側開封予定線は直線の両端を結ぶ、下に凸の曲線を設け、開封後、容易に摘んで開口することができるようにした包装袋があった（特許文献２）。
【０００８】
開口部に再封止手段を有し、再封止手段とトップシール部の間に、易開封手段を設け、易開封手段は、左右サイドシール部外縁に設けた易開封加工部と、表面積層体に設けた上に凸の形状を有する表面ハーフカット線ａと、表面積層体に設けた下に凸の形状を有する表面ハーフカット線ｂと、裏面積層体に設けた直線状の裏面ハーフカット線とからなり、表面ハーフカット線ａと表面ハーフカット線ｂとは、凸部が外側になるように裏面ハーフカット線を中心に上下対称に設けられ、これら２本の表面ハーフカット線は、いずれも左サイドシール部上の１点を始点とし、右サイドシール部上の１点を終点とする包装袋があった（特許文献３）。
【０００９】
上記特許文献に記載の包装袋においても、開封予定線に沿って引き裂くことができなけ
れば、線状のハーフカットであるため、線状にきれいに沿わなかったり、一旦線から外れるときれいに表裏段差ができなかったりする。そのため、更なる改良が望まれていた。
【００１０】
公知文献を以下に示す。
【先行技術文献】
【特許文献】
【００１１】
【特許文献１】特開２００１−２４００７４号公報
【特許文献２】特開２００５−２８９３９６号公報
【特許文献３】特開２０１４−５１３１０号公報
【発明の概要】
【発明が解決しようとする課題】
【００１２】
前述のこれらの包装袋は、表フィルムと裏フィルムに、異なる開封予定線を設けて、開封後の開封線が表裏のフィルムで同一位置にならないようにしているが、必ずしも指で摘みやすくなかったり、引き裂いた開封線が、ハーフカット線などの開封予定線から外れてしまったりする恐れがあった。
【００１３】
本発明は上記のような事情に鑑みてなされたもので、開封したときに、開封予定線から外れてしまったりする恐れがない包装袋を提供することを課題とする。
【課題を解決するための手段】
【００１４】
本発明は係る課題に鑑みなされたものであり、請求項１の発明は、表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する表側易切断部と裏側易切断部を設け、前記表側易切断部と前記裏側易切断部の少なくとも一方は、易切断部を帯状に設け易切断帯としたことを特徴とする包装袋である。
【００１５】
本発明の請求項２の発明は、前記易切断帯をレーザー加工で設けたことを特徴とする請求項１に記載の包装袋である。
【００１６】
本発明の請求項３の発明は、前記表側易切断部と前記裏側易切断部が互いに異なる形で設けられていることを特徴とする包装袋である。
【００１７】
本発明の請求項４の発明は、前記表側易切断部と前記裏側易切断部の左右に位置するシール部の一方あるいは両方に、引き裂き開始部が設けられていることを特徴とする請求項１から３のいずれか１項に記載の包装袋である。
【発明の効果】
【００１８】
本発明の包装袋は、開封したときに、易切断部を帯状の易切断帯としているので、開封予定線から外れてしまったりする恐れがない。また、易切断帯をレーザー加工で設けるので容易に加工することができる。更に、表側易切断部と裏側易切断部とを互いに異なる形で設けることにより、表裏のフィルムの開封線がずれて形成され、指で摘みやすく、口開きが容易にできる。また更に、引き裂き開始部が設けられていれば、切断開始を抵抗が少なく容易にできる。
【図面の簡単な説明】
【００１９】
【図１】本発明の包装袋の一例を模式的に示した説明図である。（ａ）表フィルム側から見た図、（ｂ）表フィルムを透視して裏フィルムを見た図である。
【図２】（ａ）〜（ｇ）本発明の包装袋の他の例の易切断部を模式的に示した説明図である。
【発明を実施するための形態】
【００２０】
以下、本発明を実施するための形態について説明する。
図１は、本発明の包装袋の一例を模式的に示した説明図で、（ａ）表フィルム側から見た図、（ｂ）表フィルムを透視して裏フィルムを見た図である。
【００２１】
図１は、本発明の包装袋の一例を模式的に示した説明図であり、（ａ）が表フィルム１側から見た図で、（ｂ）は裏フィルム２を同じ方向から表フィルム１を透視して見た図である。本例の包装袋は、図１のように、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００２２】
そして、天シール部５の近傍に開封するための切断を誘導する易切断部を設けてある。易切断部は、表フィルム１と裏フィルム２のそれぞれに、形の異なる表側易切断部７と裏側易切断部８とで設けられ、両端部は重なり合うように設けられている。
【００２３】
表側易切断部７と裏側易切断部８は、共に帯状に設けられている。帯状に設けた易切断部は、表フィルム１や裏フィルム２を、線状レーザーを用いたレーザー加工で、間歇的に照射して点状の傷を帯状の易切断部の領域に傷加工を施すことによっても設けることができる。さらには、面状レーザーを用いたレーザー加工により、帯状の易切断部領域全面に傷加工を設けることができる。
【００２４】
また、左サイドシール部３から、表側易切断部７と裏側易切断部８に向かう、切れ込みによるノッチからなる引き裂き開始部９が設けられている。同様に右サイドシール部には引き裂き開始部１０が設けられ、引き裂き開始部１０から引き裂いたときの開封線が、表側易切断部７と裏側易切断部８の重なり合った端部へ向かうように設けられている。
【００２５】
本例の包装袋では引き裂き開始部９、１０が、Ｖノッチで設けられているがこれに限る必要はなく、他の形状のノッチや切れ込み、あるいは、横方向の短い複数の直線からなる傷加工で設けてもよい。
【００２６】
また、表側易切断部７と裏側易切断部８の下方には、袋を開封可能に封止するチャック１１が設けられている。チャック１１は帯状の雌型と雄型の先端部が嵌合して、封止するようになっていて、それぞれに設けられた台座部で、表フィルム１と裏フィルム２のそれぞれの内面に融着されている。
【００２７】
表側易切断部７は帯状で、左右中央を挟んで左側に下端から上方に台形状の窪みが設けられ、右側は、上端から下方に台形状の窪みが設けられている。そして、裏側易切断部８は、まっすぐの帯状の易切断帯で設けられている。
【００２８】
易切断部が、それぞれ帯状に設けられているので、従来の線状に設けられた易切断部と異なり、引き裂いたときの開封線が易切断部から外れることがない。また、表側易切断部７と裏側易切断部８の形状が異なっているので、表裏フィルムの開封線が異なり、開くときに指でつまみやすく、口を開きやすい。
【００２９】
本例の包装袋では、左側の引き裂き開始部９の下方を左手の指で持って、上方を右手の指で持って右手を手前に引いて引き裂くか、または、右手を押し出すようにして引き裂くと、表フィルム１では、引き裂いた開封線が、右手を手前に引いて引き裂いた場合と、右
手を押し出すようにして引き裂いた場合では、はじめの広幅の帯状部で、下部を通ったり、上部を通ったりして、引き裂き方によって、表側易切断部７の引き裂いた開封線が異なってくるので、それをその都度考慮・修正して引き裂くことができる。
【００３０】
更に引き裂いていくと、引き裂いた開封線は、表側易切断部７の左側の下端から上方に突き出した台形状の窪みにぶつかると、その部分は易切断部でないので、そこを避けて易切断部に自然に沿って引き裂かれる。これにより、帯状の表側易切断部７の上部を通り、次に、右側の上端から下方に突き出した台形状の窪みにより、同様に、一旦下方に向かい、表側易切断部７の下部を通り右端に至るように引き裂かれ、表フィルム１が開封される。
【００３１】
一方、裏フィルム２では、裏側易切断部８が表側易切断部７より幅の狭い帯状の易切断帯で設けられている。このため、引き裂いた開封線は、裏側易切断部８の幅の範囲内で線状に進む。このため、引き裂いた開封線は、表フィルム１と裏フィルム２で形状が異なり、開封した包装袋が開きやすくなる。
【００３２】
また、表側易切断部７と裏側易切断部８を引き裂き始めるとき、引き裂き開始部９が設けられているので、ここから切断を開始することが容易にできる。チャック１１が設けられているので、再封することもできる。また、再開封するときにも、表裏フィルムの開封線が異なっているので開きやすい。
【００３３】
上記では、左側の引き裂き開始部９から右へ引き裂いたが、右側の引き裂き開始部１０から左へ引き裂いても、右側の上端から下方に突き出した台形状の窪みを避けて、易切断部に自然に沿って引き裂かれ、左側の下端から上方に突き出した台形状の窪みにぶつかると、そこを避けて易切断部に自然に沿って引き裂かれる。このため、左側の引き裂き開始部９から引き裂いても、右側の引き裂き開始部１０から引き裂いても、表フィルム１の開封線は上下に曲がり、裏フィルム２の略直線状に形成される開封線と異なり、摘みやすく開きやすい。
【００３４】
表側易切断部７と裏側易切断部８の形状は、前述の形状に限られることはなく、他の形状でも良い。他の形状について、以下説明する。
【００３５】
図２（ａ）〜（ｇ）は、本発明の包装袋の他の例の易切断部を模式的に示した説明図である。それぞれの左側が表フィルム側から見た図、右側が表フィルムを透視して裏フィルムを見た図である。
【００３６】
図２（ａ）では、左側の図のように、表側易切断部７ａが、広めの帯状に設けられ、その左右中央部の上下中央に、易切断部が設けられていない部分が、角丸を設けた長方形で設けられていて、右側の図のように、裏側易切断部８ａが表側易切断部７ａより細い帯状の易切断部で設けられている。
【００３７】
このため、左側の引き裂き開始部の下方を左手の指で持って、上方を右手の指で持って右手を手前に引いて引き裂くと、表フィルム１では、引き裂いた開封線が、表側易切断部７ａの易切断部が設けられていない長方形の部分は引き裂き性が悪いため、そこを避けて易切断部に自然に沿って引き裂かれて、下を通って引き裂かれて行く。
【００３８】
また、同様にして、右手を押し出すようにして引き裂くと、引き裂いた開封線が、易切断部が設けられていない長方形の部分は引き裂き性が悪いため、そこを避けて易切断部に自然に沿って引き裂かれて、力の入れる方向が異なるので、上を通って引き裂かれて行く。
【００３９】
一方、裏フィルム２では、裏側易切断部８ａが表側易切断部７ａより幅の狭い帯状の易切断帯で設けられている。このため、引き裂いた開封線は、裏側易切断部８の幅の範囲内で、線状に進む。
【００４０】
このように、引き裂いた開封線は、表フィルム１と裏フィルム２で、形状が異なり、開封した包装袋の口が開きやすくなる。また、引き裂き方によって、表側易切断部７ａの引き裂いた開封線が異なってくるので、それをその都度考慮・修正して引き裂くことができる。
【００４１】
このように、面の易切断部の中に引き裂き性が悪い易切断部でない部分をあえて入れることで、開封線を曲がらせて、表フィルム１と裏フィルム２に異なる開封線を設けることができる。
【００４２】
また、図２（ｂ）では、左側の図のように、表側易切断部７ｂが、広めの帯状に設けられ、その左右中央部の上下中央に、易切断部が設けられていない部分が横長の楕円形で設けられていて、右側の図のように、裏側易切断部８ｂが線状レーザーで加工された線状の易切断部で設けられている。
【００４３】
このため、左側の引き裂き開始部の下方を左手の指で持って、上方を右手の指で持って右手を手前に引いて引き裂くと、表フィルム１では、引き裂いた開封線が、易切断部が設けられていない楕円形の部分は引き裂き性が悪いため、そこを避けて易切断部に自然に沿って引き裂かれ、下を通って引き裂かれて行く。
【００４４】
また、同様にして、右手を押し出すようにして引き裂くと、易切断部が設けられていない楕円形の部分は引き裂き性が悪いため、そこを避けて易切断部に自然に沿って引き裂かれ、力の入れる方向が異なるので、上を通って引き裂かれて行く。
【００４５】
一方、裏フィルム２では、裏側易切断部８ｂが直線状の易切断部で設けられている。このため、引き裂いた開封線は線状に進む。このように、引き裂いた開封線は、表フィルム１と裏フィルム２で、形状が異なり、開封した包装袋が開きやすくなる。裏フィルム２の裏側易切断部８ｂから引き裂いた開封線が多少外れても、表側易切断部７ｂの引き裂いた開封線と形状が異なるので同様に、開封した包装袋が開きやすくなる。また、引き裂き方によって、表側易切断部７ｂの引き裂いた開封線が異なってくるので、それをその都度考慮・修正して引き裂くことができる。
【００４６】
このように、面の易切断部の中に引き裂き性が悪い易切断部でない部分をあえて入れることで、開封線を曲がらせて、表フィルム１と裏フィルム２に異なる開封線を設けることができる。
【００４７】
また、図２（ｃ）では、左側の図のように、表側易切断部７ｃが、左から帯状に伸び、下側に広がって広幅となり、右に進んで上端縁が下方に折れ曲がり、左側と略同じ幅になり、広幅部分に、易切断部が設けられていない部分が横長の楕円形で設けられていて、裏側易切断部８ｃは、右側の図のように、帯状の易切断部で設けられている。
【００４８】
このため、左側の引き裂き開始部の下方を左手の指で持って、上方を右手の指で持って右手を手前に引いて引き裂くと、表フィルム１では、引き裂いた開封線が、広幅部分に入ったところで下方に進み、易切断部が設けられていない楕円形の部分は引き裂き性が悪いため、そこを避けて易切断部に自然に沿って、下を通って引き裂かれて行く。
【００４９】
また、同様にして、右手を押し出すようにして引き裂くと、広幅部分でも略まっすぐ進み、易切断部が設けられていない楕円形の部分は引き裂き性が悪いため、そこを避けて易切断部に自然に沿って上を通って引き裂かれて行く。
【００５０】
一方、裏フィルム２では、裏側易切断部８ｃが帯状の易切断帯で設けられている。このため、引き裂いた開封線は、裏側易切断部８ｃの幅の範囲内で、線状に進む。このように、引き裂いた開封線は、表フィルム１と裏フィルム２で、形状が異なり、開封した包装袋が開きやすくなる。また、引き裂き方によって、表側易切断部７ｃの引き裂いた開封線が異なってくるので、それをその都度考慮・修正して引き裂くことができる。
【００５１】
また、図２（ｄ）では、左側の図のように、表側易切断部７ｄが、左から帯状に伸び、下側に広がって広幅となり、右に進んで上端縁が下方に折れ曲がり、左側と略同じ幅になり、広幅部分に、易切断部が設けられていない部分が横長の六角形で設けられていて、裏側易切断部８ｄは、右側の図のように、帯状の易切断部で設けられている。
【００５２】
このため、左側の引き裂き開始部の下方を左手の指で持って、上方を右手の指で持って右手を手前に引いて引き裂くと、表フィルム１では、引き裂いた開封線が、広幅部分に入ったところで下方に進み、易切断部が設けられていない六角形の部分は引き裂き性が悪いため、そこを避けて易切断部に自然に沿って、下を通って引き裂かれて行く。
【００５３】
また、同様にして、右手を押し出すようにして引き裂くと、広幅部分でも略まっすぐ進み、易切断部が設けられていない楕円形の部分は引き裂き性が悪いため、そこを避けて易切断部に自然に沿って、上を通って引き裂かれ、上端縁が下方に折れ曲がったところで下方に進み、その後右へすすんで行く。
【００５４】
一方、裏フィルム２では、裏側易切断部８ｄが帯状の易切断帯で設けられている。このため、引き裂いた開封線は、裏側易切断部８ｄの幅の範囲内で、線状に進む。このように、引き裂いた開封線は、表フィルム１と裏フィルム２で、形状が異なり、開封した包装袋が開きやすくなる。また、引き裂き方によって、表側易切断部７ｄの引き裂いた開封線が異なってくるので、それをその都度考慮・修正して引き裂くことができる。
【００５５】
また、図２（ｅ）では、左側の図のように、表側易切断部７ｅが、左から広幅の帯状に伸び、中央手前で、上端縁が下側に、下端縁が上側に進み、幅が狭くなって、右に進んでいく。そして、広幅の帯状部分に、易切断部が設けられていない部分が横長の楕円形で設けられている。
【００５６】
裏側易切断部８ｅは、右側の図のように、表側易切断部７ｅと左右対称の形で、左から幅が狭い帯状に伸び、中央付近で、上端縁が上側に、下端縁が下側に進み、幅が広くなって、右に進んでいく。そして幅が広くなった部分に、易切断部が設けられていない部分が、横長の楕円形で設けられている。
【００５７】
このため、左側の引き裂き開始部の下方を左手の指で持って、上方を右手の指で持って右手を手前に引いて引き裂くと、表フィルム１では、引き裂いた開封線が、易切断部が設けられていない横長の楕円形の部分は引き裂き性が悪いため、そこを避けて易切断部に自然に沿って、下を通って引き裂かれて行き、下端縁が上側に向かうところで上方に進み、その後、幅が狭くなって部分を通って、引き裂かれて行く。
【００５８】
また、同様にして、右手を押し出すようにして引き裂くと、引き裂いた開封線が、易切断部が設けられていない横長の楕円形の部分は引き裂き性が悪いため、そこを避けて易切断部に自然に沿って、上を通って引き裂かれて行き、上端縁が下側に向かうところで下方
に進み、その後、幅が狭くなって部分を通って、引き裂かれて行く。
【００５９】
一方、裏フィルム２では、裏側易切断部８ｅが表側易切断部７ｅと左右対称の形で設けられていて、左側の引き裂き開始部の下方を左手の指で持って、上方を右手の指で持って右手を手前に引いて引き裂くと、裏フィルム２は、裏側易切断部８ｅの幅が狭くなっている部分を通って、引き裂かれて行き、易切断部が設けられていない横長の楕円形の部分は引き裂き性が悪いため、そこを避けて易切断部に自然に沿って下を通って引き裂かれて行く。
【００６０】
また、同様にして、右手を押し出すようにして引き裂くと、裏フィルム２は、引き裂いた開封線が、裏側易切断部８ｅの幅が狭くなっている部分を通って、引き裂かれて行き、易切断部が設けられていない横長の楕円形の部分は引き裂き性が悪いため、そこを避けて易切断部に自然に沿って、上を通って引き裂かれて行く。
【００６１】
このように、引き裂いた開封線は、表フィルム１と裏フィルム２で、形状が異なり、開封した包装袋の口が開きやすくなる。また、引き裂き方によって、表側易切断部７ｅや裏側易切断部８ｅの引き裂いた開封線が異なってくるので、それをその都度考慮・修正して引き裂くことができる。
【００６２】
また、図２（ｆ）では、左側の図のように、表側易切断部７ｆが、左から広幅の帯状に伸び、中央手前で、上端縁が下側に、下端縁が上側に進み、幅が狭くなって、右に進んで行き、中央を過ぎたところで、上端縁が上側に、下端縁が下側に進み、広幅となって右に進んで行く。そして、左右の広幅の帯状部分に、それぞれ、易切断部が設けられていない部分が横長の楕円形で設けられている。裏側易切断部８ｆは、右側の図のように、帯状の易切断部で設けられている。
【００６３】
このため、左側の引き裂き開始部の下方を左手の指で持って、上方を右手の指で持って右手を手前に引いて引き裂くと、表フィルム１では、引き裂いた開封線が、易切断部が設けられていない横長の楕円形の部分は引き裂き性が悪いため、そこを避けて易切断部に自然に沿って、下を通って引き裂かれて行き、下端縁が上側に向かうところで上方に進み、その後、幅が狭くなって部分を通り、広くなっている部分から、易切断部が設けられていない横長の楕円形の部分は引き裂き性が悪いため、そこを避けて易切断部に自然に沿って、下を通って引き裂かれて行く。
【００６４】
また、同様にして、右手を押し出すようにして引き裂くと、引き裂いた開封線が、易切断部が設けられていない横長の楕円形の部分は引き裂き性が悪いため、そこを避けて易切断部に自然に沿って、上を通って引き裂かれて行き、上端縁が下側に向かうところで下方に進み、その後、幅が狭くなって部分を通り、広くなっている部分から、易切断部が設けられていない横長の楕円形の部分は引き裂き性が悪いため、そこを避けて易切断部に自然に沿って、上を通って引き裂かれて行く。
【００６５】
一方、裏フィルム２では、裏側易切断部８ｆが帯状の易切断帯で設けられている。このため、引き裂いた開封線は、裏側易切断部８ｆの幅の範囲内で、線状に進む。このように、引き裂いた開封線は、表フィルム１と裏フィルム２で、形状が異なり、開封した包装袋が開きやすくなる。また、引き裂き方によって、表側易切断部７ｃの引き裂いた開封線が異なってくるので、それをその都度考慮・修正して引き裂くことができる。
【００６６】
また、図２（ｇ）では、左側の図のように、表側易切断部７ｇが、左から広幅の帯状に伸び、中央手前で、上端縁が下側に、下端縁が上側に進み、幅が狭くなって、右に進んで行き、中央を過ぎたところで、上端縁が上側に、下端縁が下側に進み、広幅となって右に
進んで行く。そして、左右の広幅の帯状部分に、それぞれ、易切断部が設けられていない部分が、横長の楕円形で設けられている。
【００６７】
裏側易切断部８ｇは、右側の図のように、広めの帯状に設けられ、その左右中央部の上下中央に、易切断部が設けられていない部分が横長の楕円形で設けられていている。
【００６８】
このため、左側の引き裂き開始部の下方を左手の指で持って、上方を右手の指で持って右手を手前に引いて引き裂くと、表フィルム１では、引き裂いた開封線が、易切断部が設けられていない横長の楕円形の部分は引き裂き性が悪いため、そこを避けて易切断部に自然に沿って、下を通って引き裂かれて行き、下端縁が上側に向かうところで上方に進み、その後、幅が狭くなって部分を通り、広くなっている部分から、易切断部が設けられていない横長の楕円形の部分では引き裂き性が悪いため、そこを避けて易切断部に自然に沿って、下を通って引き裂かれて行く。
【００６９】
また、同様にして、右手を押し出すようにして引き裂くと、引き裂いた開封線が、易切断部が設けられていない横長の楕円形の部分は引き裂き性が悪いため、そこを避けて易切断部に自然に沿って、上を通って引き裂かれて行き、上端縁が下側に向かうところで下方に進み、その後、幅が狭くなって部分を通り、広くなっている部分から、易切断部が設けられていない横長の楕円形の部分は引き裂き性が悪いため、そこを避けて易切断部に自然に沿って、上を通って引き裂かれて行く。
【００７０】
一方、裏フィルム２では、左側の引き裂き開始部の下方を左手の指で持って、上方を右手の指で持って右手を手前に引いて引き裂くと、引き裂いた開封線が、易切断部が設けられていない楕円形の部分は引き裂き性が悪いため、そこを避けて易切断部に自然に沿って、下を通って引き裂かれて行く。
【００７１】
また、同様にして、右手を押し出すようにして引き裂くと、易切断部が設けられていない楕円形の部分は引き裂き性が悪いため、そこを避けて易切断部に自然に沿って、上を通って引き裂かれて行く。
【００７２】
このように、引き裂いた開封線は、表フィルム１と裏フィルム２で、形状が異なり、開封した包装袋が開きやすくなる。また、引き裂き方によって、表側易切断部７ｇや裏側易切断部８ｇの引き裂いた開封線が異なってくるので、それをその都度考慮・修正して引き裂くことができる。
【００７３】
上記の図２（ａ）〜（ｇ）の易切断線の説明では、左側の引き裂き開始部９から右へ引き裂いたが、右側の引き裂き開始部１０から左へ引き裂いても、同様に、易切断部でないところにぶつかると、その部分は引き裂き性が悪いため、そこを避けて易切断部に自然に沿って引き裂かれる。また、引き裂き方によって、引き裂いた開封線が異なってくるので、それをその都度考慮・修正して引き裂くことができる。
【００７４】
上述した、図２（ａ）〜（ｇ）の易切断部のように、面の易切断部の中に引き裂き性が悪い易切断部でない部分をあえて入れることで、表裏のフィルムで異なる開封線を設け、摘みやすく口を開きしやすくなる。
【００７５】
本発明の包装袋は、説明した包装袋では４方シール袋であったが、これに限られるものではなく、スタンディングパウチや、天部あるいは地部を折り返した３方シール袋などでもかまわない。左右のサイドシール部の設けられた袋であればよい。
【００７６】
以上のように本発明の包装袋は、表フィルムや裏フィルムに、開封するための切断を誘
導する易切断部を帯状の易切断帯で設けてあるので、開封予定線でもある易切断部から引き裂いた開封線が外れてしまうことがない。
【００７７】
また、レーザー加工により易切断帯を設けているので、容易に設けることができる。更に、表側易切断部と裏側易切断部を異なる形状で設けているので、開封後の包装袋の口開きが容易くできる。また、引き裂き方によって、表側易切断部や裏側易切断部の引き裂いた開封線が異なってくるので、それをその都度考慮・修正して引き裂くことができる。そして、表側易切断部と裏側易切断部の両端が重なり合うように設けられ、左右に位置するシール部に、引き裂き開始部が設けられているので、引き裂き開始が容易である。
【符号の説明】
【００７８】
１・・・表フィルム
２・・・裏フィルム
３・・・左サイドシール部
４・・・右サイドシール部
５・・・天シール部
６・・・底シール部
７、７ａ、７ｂ、７ｃ、７ｄ、７ｅ、７ｆ、７ｇ・・・表側易切断部
８、８ａ、８ｂ、８ｃ、８ｄ、８ｅ、８ｆ、８ｇ・・・裏側易切断部
９、１０・・・引き裂き開始部
１１・・・チャック
【図１】
2017007684.tif 000003
【図２】
2017007684.tif 000004